(57)【特許請求の範囲】
【請求項１】
両端にバンド穴が形成されたリストバンドを環状に巻き止めるリストバンド用クリップにおいて、
オスクリップ本体と、
メスクリップ本体と、
前記オスクリップ本体と前記メスクリップ本体とを折り畳み可能に連結するヒンジと、
前記オスクリップ本体に形成され、前記バンド穴が通されるピンと、
前記ピンの頂部に形成される傘状の頭部と、
前記ピンの外周に放射状に形成され、前記ピンに通された前記バンド穴の周縁に係合して抜け止めする係止片と、
前記メスクリップ本体に形成され、前記ピンが収容される収容孔と、
前記収容孔の内部に形成され、前記ピンの挿入方向に凸となるように膨出して形成される半球状のフラップ部と、
前記フラップ部の中央に形成され、前記ピンの外径と略同じ径で形成されるピン孔と、
前記フラップ部に放射状に形成され、前記フラップ部の弾性変形による前記ピン孔の拡縮を可能にするスリットと、
からなり、
前記オスクリップ本体と前記メスクリップ本体とを折り畳むことにより、前記ピンがフラップ部の先端部分を撓ませながらピン孔に挿入されて行き、前記ピンの頭部がピン孔を通過した後には、フラップ部の撓みが解消してピンを打って音を鳴らし、ピンがピン孔に嵌まったことを了知可能であることを特徴とするリストバンド用クリップ。
【請求項２】
前記ピンは、先端にクビレ部が形成され、前記ピン孔は、前記クビレ部の外径と略同じ径で形成されることを特徴とする請求項１に記載のリストバンド用クリップ。
【発明の詳細な説明】
【技術分野】
【０００１】
本発明はリストバンド用クリップに係り、特に両端にバンド穴が形成されたリストバンドを環状に巻き止めるためのリストバンド用クリップに関する。
【背景技術】
【０００２】
病院では、患者の取り違えなどのミスを防止するため、患者の名前などの情報が印字されたリストバンドを患者の手首（あるいは足首）に装着して、患者を管理することが行われている。
【０００３】
この種のリストバンドは、通常、プリンタで印字することができるように帯状に形成され、印字後は専用のクリップ（リストバンド用クリップ）を用いて手首に装着される。リストバンド用クリップは、ピンが形成されたオスクリップと、ピン孔が形成されたメスクリップとで構成され、オスクリップに形成されたピンをリストバンドの両端に形成されたバンド穴に通し、メスクリップに形成されたピン孔に嵌めることにより、リストバンドを環状に巻き止める。
【０００４】
ところで、病院などで使用されるリストバンドは、容易に外せる構成であると、重大な医療事故に発展するおそれがある。したがって、一度装着したリストバンドは、ハサミ等で切断しない限り外せない構成とする必要がある。このためリストバンド用クリップも一度ピンをピン孔に嵌めたら、抜けない構成とする必要がある。
【０００５】
特許文献１には、ピンの抜けを防止する構造として、ピンの先端に第１の拡径部である円錐状の係止部を形成するとともに、さらにその先端に第２の拡径部である逆止部を形成すること、及び、ピン孔の内周部の形状を係止部の形状に対応して逆円錐状に形成することが提案されている。
【先行技術文献】
【特許文献】
【０００６】
【特許文献１】特開２００５−１６０５５１号公報
【発明の概要】
【発明が解決しようとする課題】
【０００７】
ところで、ピンに形成される円錐状の係止部は、ピンのホールド性を強化する一方、リストバンドを手首に装着する際、ピンに通したバンド穴がピンから抜けるのを防止する機能も備えている。このため、係止部はバンド穴の径よりも若干大きく形成されるが、特許文献１のように、係止部が円錐状に形成されていると、強い力でピンをバンド穴に通さないと、バンド穴が係止部を乗り越えることができず、装着しにくいという欠点がある。また、バンド穴が係止部を完全に乗り越えていない状態でピンをピン孔に嵌めてしまうという事態が生じやすく、この結果、係止部とピン孔との間にリストバンドの生地を噛み込んで、ピンが嵌めづらくなったり、嵌め込みに多大な力を要したりするという欠点がある。また、リストバンドの生地を噛み込むことにより、ピンがピン孔に嵌まっても、係合音がしなくなり、ピンが確実に嵌まっているのか分かりづらくなるという欠点もある。さらに、リストバンドの生地を噛み込むことにより、ピンの嵌め込みが不完全になり、装着の途中で外れてしまうという問題もある。特に、リストバンドの装着は、片手での作業となるため、バンド穴が係止部を完全に乗り越えていない状態でピンをピン孔に嵌めてしまうという事態が生じやすい。
【０００８】
本発明はこのような事情に鑑みてなされたもので、リストバンドに取り付けやすく、また、取り付けたことを確実に了知し得るリストバンド用クリップを提供することを目的とする。
【課題を解決するための手段】
【０００９】
請求項１に係る発明は、前記目的を達成するために、両端にバンド穴が形成されたリストバンドを環状に巻き止めるリストバンド用クリップにおいて、オスクリップ本体と、メスクリップ本体と、前記オスクリップ本体と前記メスクリップ本体とを折り畳み可能に連結するヒンジと、前記オスクリップ本体に形成され、前記バンド穴が通されるピンと、前記ピンの頂部に形成される傘状の頭部と、前記ピンの外周に放射状に形成され、前記ピンに通された前記バンド穴の周縁に係合して抜け止めする係止片と、前記メスクリップ本体に形成され、前記ピンが収容される収容孔と、前記収容孔の内部に形成され、前記ピンの挿入方向に凸となるように膨出して形成される半球状のフラップ部と、前記フラップ部の中央に形成され、前記ピンの外径と略同じ径で形成されるピン孔と、前記フラップ部に放射状に形成され、前記フラップ部の弾性変形による前記ピン孔の拡縮を可能にするスリットと、からなり、前記オスクリップ本体と前記メスクリップ本体とを折り畳むことにより、前記ピンがフラップ部の先端部分を撓ませながらピン孔に挿入されて行き、前記ピンの頭部がピン孔を通過した後には、フラップ部の撓みが解消してピンを打って音を鳴らし、ピンがピン孔に嵌まったことを了知可能であることを特徴とするリストバンド用クリップを提供する。
【００１０】
本発明によれば、リストバンドの両端に形成されたバンド穴にオスクリップ本体に形成されたピンを通し、オスクリップ本体とメスクリップ本体とを折り畳むことにより、リストバンド用クリップを環状に巻き止める。オスクリップ本体に形成されるピンは、オスクリップ本体とメスクリップ本体とを折り畳むことにより、メスクリップ本体に形成されるピン孔に嵌まる。ピンは頂部に傘状の頭部が形成され、ピン孔はピンの外径と略同じ径で形成されるので、一度ピンがピン孔に嵌められると、ピンはピン孔から抜くことができなくなる。また、ピン孔は、ピンの頭部を通すことができるように拡縮可能に形成されるが、このピン孔を拡縮可能にする構造として、本発明では、ピンの挿入方向に凸となるように膨出させて半球状のフラップ部をメスクリップ本体に形成し、そのフラップ部の中央にピンの外径と略同じ径のピン孔を形成するとともに、フラップ部に複数のスリットを形成して、ピン孔が拡縮できるようにしている。これにより、ピン孔にピンの頭部を通す際、ピン孔を構成するフラップ部の先端部分を大きく撓ませることができる。また、これにより、ピンの頭部がピン孔を通過した際にピン孔の内周部分でピンの外周を強く打つことができ、確実に係合音を出すことができる。これにより、ピンがピン孔に嵌まったことを確実に了知することができる。また、本発明によれば、ピンには、ピンに通されたバンド穴の周縁に係合して抜け止めする係止片が設けられているため、ピンをバンド穴に通した後もバンド穴の抜けを防止でき、リストバンドの装着を容易に行うことができる。また、この係止片は放射状に形成されるため、ピンを強い力でバンド穴に嵌めなくても簡単に通すことができ、かつ、確実に抜けも防止することができる。さらに、フラップ部の内周部との間でリストバンドの生地を噛み込むこともない。
【００１１】
請求項２に係る発明は、前記目的を達成するために、前記ピンは、先端にクビレ部が形成され、前記ピン孔は、前記クビレ部の外径と略同じ径で形成されることを特徴とする請求項１に記載のリストバンド用クリップを提供する。
【００１２】
本発明によれば、ピンには先端にクビレ部が形成され、このクビレ部の外径と略同じ径でピン孔が形成される。ピンをピン孔に嵌めると、ピン孔を構成するフラップ部の先端は、このクビレ部に嵌まる。これにより、ピンが嵌められたメスクリップ本体の軸方向に対する移動を規制でき、ホールド性を増すことができる。また、ピンの径を太くでき、ピンの剛性を確保することができるとともに、係止片の突出量も小さくでき、係止片の剛性も確保することができる。
【発明の効果】
【００１３】
本発明によれば、リストバンドに取り付けやすく、また、取り付けたことを確実に了知することができる。
【図面の簡単な説明】
【００１４】
【図１】本発明に係るリストバンド用クリップの一実施形態を表す平面図
【図２】本発明に係るリストバンド用クリップの一実施形態を表す側面図
【図３】図１の３−３断面図
【図４】本発明に係るリストバンド用クリップの使用例を表す部分断面図
【図５】リストバンドの一例を示す斜視図
【図６】リストバンド用クリップの変形例を示す平面図
【図７】リストバンド用クリップの変形例を示す側面図
【発明を実施するための形態】
【００１５】
以下、添付図面に従って本発明に係るリストバンド用クリップの好ましい実施の形態について詳説する。
【００１６】
≪リストバンド用クリップの構成≫
図１、図２は、それぞれ本発明に係るリストバンド用クリップの一実施形態を表す平面図、側面図である。また、図３は、図１の３−３断面図である。
【００１７】
本実施の形態のリストバンド用クリップ１０は、２つのバンド穴にピンを通して、リストバンドを環状に巻き止めるタイプのものである。
【００１８】
図１〜図３に示すように、本実施の形態のリストバンド用クリップ１０は、オスクリップ本体１２と、メスクリップ本体１４と、オスクリップ本体１２とメスクリップ本体１４とを折り畳み可能に連結するヒンジ１６とで構成される。このリストバンド用クリップ１０は、弾性材料によって全体が一体的に形成される。
【００１９】
オスクリップ本体１２は、扁平な薄板状に形成され、その平面形状は、同じ径を有する２つの円の一部を重ねて並べた形状（８の字形状）に形成される。
【００２０】
オスクリップ本体１２の上面（メスクリップ本体１４と重ね合わされる面）には、各円の中心位置にピン１８、１８が垂直に立設される。
【００２１】
ピン１８は、所定高さを有する円柱状に形成される。このピン１８は、使用するリストバンドのバンド穴に対応して形成され、その外径はバンド穴の内径と略同じ径（あるいは、若干小さい径）で形成される（バンド穴が長穴形状の場合は、その短径に対応して形成される。）。
【００２２】
ピン１８の先端部には、クビレ部２０が形成され、このクビレ部２０によってピン１８の頂部に頭部２２が形成される。
【００２３】
クビレ部２０は、ピン１８の基端部（図２及び図３における下端部）から所定高さの位置に形成され、ピン１８の軸方向に所定の幅をもって形成される。また、後述するように、その外径はメスクリップ本体１４に形成されるピン孔３４の内径と略同じ径に形成される。
【００２４】
頭部２２は、半球状に形成され、クビレ部２０の外周から張り出すようにして傘状に形成される。後述するように、この頭部２２はピン孔３４の逆止部として機能し、その基端部の端面は、オスクリップ本体１２の上面と平行になるように平坦に形成される。
【００２５】
また、ピン１８の外周には、クビレ部２０の下部位置に４つの係止片２４、２４、…が、放射状に張り出して形成される。各係止片２４は、矩形の板片状に形成され、ピン１８の基端部から所定高さの位置に形成される。
【００２６】
この係止片２４は、リストバンド用クリップ１０をリストバンドに取り付ける際、ピン１８を通したバンド穴が、ピン１８から外れるのを防止する機能（リストバンドに仮止めしておく機能）を提供する。したがって、係止片２４の突出量は、バンド穴の径に対応して設定され、ピン１８の中心から先端までの距離（半径）が、バンド穴の半径（バンド穴が長穴の場合は短径の半径）よりも大きくなるように設定される。
【００２７】
なお、本例において、各係止片２４は、その先端がピン１８の基端部から先端部に向かって下り勾配を呈するよう傾斜して形成される。これにより、ピン１８をバンド穴に通す際、通しやすくすることができ、かつ、バンド穴を通した後は、抜けにくくすることができる。
【００２８】
メスクリップ本体１４は、所定厚さを有する扁平な板状に形成され、その平面形状は、オスクリップ本体１２の平面形状に対応して形成される（同じ径を有する２つの円の一部を重ねて並べた形状（８の字形状））。
【００２９】
メスクリップ本体１４の上面（オスクリップ本体１２と重ね合わされる面と逆側の面（図１、２において下側の面））には、各円の中心位置に円形状の収容孔３０、３０が形成される。この収容孔３０、３０は、オスクリップ本体１２に形成されたピン１８、１８と同じ間隔で形成され、所定の内径をもって形成される。
【００３０】
収容孔３０の内部には、半球状のフラップ部３２が形成される。フラップ部３２は、所定の板厚をもって形成され、ピン１８の挿入方向に凸となるように膨出して形成される。したがって、フラップ部３２の内部には、ドーム状の空間が形成される。
【００３１】
フラップ部３２の中央には、ピン１８が嵌められるピン孔３４が形成される。ピン孔３４は、ピン１８の外径と略同じ径で形成される。
【００３２】
また、フラップ部３２には、２本のスリット３６が放射状に形成される。フラップ部３２は、このスリット３６により、径方向への弾性変形が可能になり、これにより、フラップ部３２の中央に形成されたピン孔３４が拡縮可能に形成される。
【００３３】
なお、本例において、フラップ部３２は、収容孔３０の基端部（図２及び図３において上端部）から先端部に向かって膨出するように形成され、その先端（ピン孔３４の上縁部を形成する端面）は平坦に形成される。また、フラップ部３２の先端の位置は、収容孔３０の先端部よりも低くなるように設定され、ピン１８を嵌めた際に、ピン１８の頭部２２が収容孔３０の先端部から突出しないように形成される。
【００３４】
ヒンジ１６は、オスクリップ本体１２とメスクリップ本体１４とを折り畳み可能に連結する。オスクリップ本体１２とメスクリップ本体１４とは対称に配置され、互いに中央部分をヒンジ１６で連結される。
【００３５】
ヒンジ１６は、屈曲可能な薄板状に形成され、その中央部に貫通孔３８が形成されるとともに、その貫通孔を挟んで対称にクビレ４０が形成される。ヒンジ１６は、このような貫通孔３８及びクビレ４０を形成することにより、中央部分で屈曲しやすくすることができる。
【００３６】
オスクリップ本体１２とメスクリップ本体１４は、図４に示すように、ヒンジ１６を中央部分で折り曲げることにより折り畳まれ、互いに重ね合わされる。この折り畳む動作によって、オスクリップ本体１２に形成された２つのピン１８が、メスクリップ本体１４に形成された２つのピン孔３４に嵌め込まれる。
【００３７】
本実施の形態のリストバンド用クリップ１０は、以上のように構成される。
【００３８】
なお、上記のように、本実施の形態のリストバンド用クリップ１０は、弾性材料によって全体が一体的に形成される。これにより、スリット３６を形成したとき、フラップ部３２が弾性変形可能に形成される。
【００３９】
使用する弾性材料としては、たとえば、ポリエチレン、ポリプロピレン、ポリ塩化ビニル、ポリスチレン、ポリ酢酸ビニル、テフロン（登録商標）、ＡＢＳ樹脂、ＡＳ樹脂、アクリル樹脂や熱可塑性エラストマー、ゴム、ウレタンなどの他、これら弾性材料の混合剤（ウレタンゴムなど）を用いることができる。
【００４０】
また、弾性材料の硬度（弾性係数）は、弾性変形を容易とする程度が好ましく、たとえば、リストバンドと同程度か、それ以下の弾性材料を用いることが好ましい。
【００４１】
本例では、素材にポリエチレンを主体とする樹脂が用いられ、いわゆる樹脂成型により全体が一体的に形成される。
【００４２】
また、リストバンド用クリップ１０は、人の肌に触れるものであるため、肌に触れた際、違和感がないように全体が丸みを帯びて形成される。具体的には、角部がＲ面取りされる。また、メスクリップ本体１４については、外形を構成する２つの円ごとに表面に凸となるような半球状に形成される。また、ヒンジ１６については、クビレ４０が円弧状に形成される。
【００４３】
また、リストバンド用クリップ１０は、抗菌処理を施すことが好ましい。抗菌処理としては、たとえば、抗菌剤の練り込みや、抗菌コートを行うことができる。これにより、菌の増殖を抑制することができる。
【００４４】
抗菌コートの材料としては、塗膜機能を有する樹脂や溶剤（塗料の展色剤と同様のもの）に抗菌剤を混合したものを用いることができる。
【００４５】
また、抗菌剤の材料としては、無機系抗菌剤（たとえば、銀、銅、亜鉛化合物など）、有機系抗菌剤、合成系抗菌剤、天然系抗菌剤（たとえば、フィトンチッド、ヒノキチオール等）を用いることができる。一例として、Ｎ−アルキルジアミノエチルグリシンなどの両性界面活性剤、陽イオン性界面活性剤、グアニジン系殺菌剤などの抗菌作用、殺菌作用が良好なものを用いることができる。
【００４６】
また、防腐剤、防カビ剤などのようなものを抗菌剤に代えて用いることもできる。
【００４７】
≪リストバンドの構成≫
図５は、本実施の形態のリストバンド用クリップ１０によって巻き止められるリストバンド１の一例を示す斜視図である。
【００４８】
同図に示すように、このリストバンド１は、表示部２と、表示部２の両側に延びるバンド部３、４とで構成される。
【００４９】
表示部２は、バンド部３、４に比して幅広に形成され、所定の情報（病院で使用される場合は、たとえば、患者名、科名、病棟名、血液型、バーコード、二次元コードなどの情報）が印字される。
【００５０】
表示部２の両側に延びるバンド部３、４は、左右異なる長さで形成され、短い方のバンド部３には、２つのバンド穴６、６が一定の間隔をもって形成される。一方、長い方のバンド部４には、複数のバンド穴７、７、…が一定の間隔をもって形成される。このバンド部３、４に形成されるバンド穴６、７の形成間隔は、リストバンド用クリップ１０に形成される２つのピン１８の間隔と同じ間隔に設定される。また、その径は、ピン１８の外径と略同じ径で形成される。
【００５１】
短い方のバンド部３に形成されるバンド穴６、６は、リストバンド用クリップ１０をセットするためのバンド穴であり、長い方のバンド部４に形成されるバンド穴７、７、…は、リストバンド１の長さ調整用のバンド穴である。以下、短い方のバンド部３に形成されるバンド穴６、６については、長い方のバンド部４に形成されるバンド穴７、７、…と区別するため、セット穴６、６と表記する。
【００５２】
なお、本例では、バンド穴（セット穴６、バンド穴７）の形状を円形状としているが、バンド穴の形状は特に限定されるものではなく、たとえば、長穴形状とすることもできる。
【００５３】
≪リストバンドの装着方法≫
本実施の形態のリストバンド用クリップ１０を用いたリストバンド１の装着方法は、次のとおりである。
【００５４】
まず、図５に示すように、短い方のバンド部３に形成された２つのセット穴６にオスクリップ本体１２に形成された２つのピン１８を通し、リストバンド用クリップ１０をリストバンド１に取り付ける。
【００５５】
この際、ピン１８は、リストバンド１の裏面側からセット穴６に挿入する。なお、ピン１８は、その頭部２２が半球状に形成されているため、スムーズにセット穴６に通すことができる。
【００５６】
また、ピン１８は、その先端外周部に係止片２４が突出して設けられているので、この係止片２４がセット穴６を通過するまでピン１８を押し込んで、セット穴６に挿入する。これにより、ピン１８に対してセット穴６から抜ける方向の力が働いた場合であっても、係止片２４がセット穴６の周縁に係合し、容易に抜けるのが防止される。また、係止片２４は、矩形の板片状に形成され、かつ、ピン１８の外周に放射状に形成されているため、セット穴６に通す際、無理な力を掛けなくても、スムーズにセット穴に通すことができる。これにより、ピン１８をセット穴６に通す作業を簡便に行うことができるとともに、確実にセット穴６に通すことができる。
【００５７】
以上のようにして、リストバンド用クリップ１０をリストバンド１に取り付けたのち、リストバンド１を手首に巻き付ける。そして、リストバンド１が緩みなく手首に巻き付くように、長い方のバンド部４に形成されたバンド穴７を選択し（隣り合う一組のバンド穴を選択する）、その選択したバンド穴７にピン１８を通す。この場合も、ピン１８は、係止片２４がバンド穴７を通過するまで押し込んで、バンド穴７に挿入する。この作業は片手での作業になるが、上記のように、ピン１８は無理な力を掛けなくても、スムーズに係止片２４を乗り越えさせて、バンド穴７に挿入することができる。これにより、確実にピン１８をバンド穴７に通すことができる。
【００５８】
係止片２４を通過するまでピン１８を通すことにより、係止片２４がバンド穴７の周縁部に係合し、リストバンド１が外れるのが防止される。すなわち、仮止めされる。
【００５９】
この後、ヒンジ１６によってメスクリップ本体１４をオスクリップ本体１２に向けて折り畳む。
【００６０】
メスクリップ本体１４をオスクリップ本体１２に向けて折り畳むと、図４に示すように、メスクリップ本体１４に形成されたピン孔３４にピン１８が嵌め込まれる。
【００６１】
ここで、ピン孔３４は、ピン１８よりも小さい径で形成されるが（ピン１８に形成されたクビレ部２０と略同じ径で形成）、拡縮可能に形成されているため、拡径しながらピン１８が挿入される。そして、ピン１８がクビレ部２０まで挿入されると、縮径してピン１８のクビレ部２０に嵌合する（正確には、ピン孔３４を形成するフラップ部３２の先端部がクビレ部２０に嵌合する）。これにより、ピン１８の軸方向の移動が規制され、ピン１８がピン孔３４から抜けるのが防止される。
【００６２】
また、上記のように、ピン孔３４は、一度拡径したのち縮径してピン１８のクビレ部２０に嵌まるが、クビレ部２０に嵌まる際、その内周の縁部でクビレ部２０の壁面を打つ。これにより、音（係合音）が鳴り、ピン１８がピン孔３４に嵌まったことを明確に認識することができる。
【００６３】
また、上記のように、ピン１８は、セット穴６及びバンド穴７に通す際、確実に係止片２４を通過させて挿入することができるため、ピン１８をピン孔３４に嵌めても、リストバンド１の生地を噛み込むことがない。これにより、確実にピン１８をピン孔３４に嵌めることができる。また、無理な力を掛けずにピン１８をピン孔３４に嵌めることができる。さらに、確実に係合音を鳴らすことができ、ピン１８がピン孔３４に嵌まったことを確実に了知することができる。
【００６４】
ピン孔３４に嵌まったピン１８は、図４に示すように、頭部２２のみがフラップ部３２から突出する。この頭部２２は、メスクリップ本体１４の表面から突出することなく、収容孔３０に完全に収容される。これにより、引っ掛かり等が発生するのを防止できるとともに、肌に接触したときなどに違和感が生じるのを防止できる。
【００６５】
以上一連の作業でリストバンド１の装着が完了する。リストバンド１を巻き止めたリストバンド用クリップ１０は、ピン１８がピン孔３４から抜けることがないため、確実にリストバンド１を手首に装着することができる。また、生地を噛み込むことなく取り付けることができるため、途中で外れることもない。
【００６６】
≪その他の実施の形態≫
図６、図７は、リストバンド用クリップの変形例を示す平面図、側面図である。
【００６７】
同図に示すように、本例のリストバンド用クリップ１００は、１つのバンド穴にピンを通して、リストバンドを環状に巻き止めるタイプのものである。
【００６８】
このように、オスクリップ本体１１２に形成するピン１１８の数は、特に限定されるものではなく、１つとすることもできる。この場合、メスクリップ本体１１４に形成するピン孔１３４も１つとされる。
【００６９】
なお、上記実施の形態で示したリストバンド用クリップ１０のように、２つのピン１８を備え、２つのバンド穴にピンを通して、リストバンドを環状に巻き止める構成とすることにより、装着したリストバンドが、ピンを軸に回動するのを防止でき、リストバンドの装着性を向上させることができる。
【００７０】
また、本例のリストバンド用クリップ１００は、上記実施の形態のピン１８のようにクビレ部を形成せずに一定の太さで形成している。この場合、ピン１８の外径は、ピン孔３４の内径と略同じ径で形成される。
【００７１】
このように、ピンには必ずしもクビレ部を設ける必要はないが、クビレ部を形成することにより、ピンの剛性を高めることができる。また、ピンに突出して形成される係止片の突出量も抑えることができ、係止片の剛性も確保することができる。
【００７２】
また、本例のリストバンド用クリップ１００は、３つの係止片１２４を放射状に配置している。このように、係止片は必ずしも４つである必要はなく、バンド穴の抜けを防止可能に形成されていればよい。したがって、少なくとも２つ形成されていればよい。
【００７３】
また、本例のリストバンド用クリップ１００は、フラップ部１３２の４箇所にスリット１３６を形成している。このように、スリット１３６の形成数は、特に限定されるものではなく、フラップ部１３２を弾性変形させることができるように形成されていればよい。なお、スリットの数が多すぎると、ピンがピン孔から抜けやすくなるため、必要最小限の数に留めることが好ましい。
【００７４】
また、符号１１６はヒンジであり、符号１３８は、ヒンジ１１６に設けられた貫通孔である。
【００７５】
なお、図示を省略するが、ヒンジ１１６は、貫通孔１３８を省略し、幅方向（図６における上下方向）にわたって断面Ｕ字型の溝を形成することもできる。すなわち、折り畳みの際、伸張する側（図７における下端側）に断面Ｕ字型（図７で説明すると、逆Ｕ字型）の溝を形成することにより、折り畳む際に折れ曲げやすくするとともに、外部に突出する突起部分を減少させることができるものである。
【００７６】
上記は一例であって、ヒンジ１１６には、上記実施の形態のヒンジ１６に形成したクビレ４０を設け、そのクビレ４０の間の貫通孔１３８を省略して、上記の断面Ｕ字型の溝を設けるようにしてもよい。
【符号の説明】
【００７７】
１…リストバンド、２…表示部、３…バンド部（短）、４…バンド部（長）、６…セット穴（バンド穴）、７…バンド穴、１０…リストバンド用クリップ、１２…オスクリップ本体、１４…メスクリップ本体、１６…ヒンジ、１８…ピン、２０…クビレ部、２２…頭部、２４…係止片、３０…収容孔、３２…フラップ部、３４…ピン孔、３６…スリット、３８…貫通孔、４０…クビレ、１００…リストバンド用クリップ、１１２…オスクリップ本体、１１４…メスクリップ本体、１１８…ピン、１２４…係止片、１３２…フラップ部、１３４…ピン孔、１３６…スリット、１３８…貫通孔
【図１】
0005726486.tif 000002
【図２】
0005726486.tif 000003
【図３】
0005726486.tif 000004
【図４】
0005726486.tif 000005
【図５】
0005726486.tif 000006
【図６】
0005726486.tif 000007
【図７】
0005726486.tif 000008